(57)【要約】【課題】コンパクトで、輝度ムラの発生を抑制して照明光の色を変化させることができる照明器具を提供する。【解決手段】環形蛍光灯２０の内側スペース４４に同様の照明光を発する平面らせん形蛍光灯３０を配設したので、点灯装置４１、４２により環形蛍光灯２０および平面らせん形蛍光灯３０を点灯させた際に、環形蛍光灯２０の内側に生じていた暗い部分を平面らせん形蛍光灯３０によって明るく照らすことができ、透過カバー４３を透過する照明光の輝度ムラの発生を抑制することができる。また、環形蛍光灯２０の内側スペース４４に平面らせん形蛍光灯３０を配したので、照明器具１０の大型化を回避することができる。さらに、環形蛍光灯２０の照明光の色と平面らせん形蛍光灯３０の照明光の色が異なるので、スイッチ１２の切り替えにより両蛍光灯２０、３０を個別に点灯させることにより、照明光の色を変化させることができる。【選択図】図１
2009170256.tif 000002
【特許請求の範囲】
【請求項１】
環形蛍光灯と、
平面らせん形蛍光灯と、
前記各蛍光灯を駆動させる点灯装置と、
前記各蛍光灯を覆うように装着され照明光を透過させる透過カバーとを備えた照明器具であって、
前記環形蛍光灯の内側スペースに、当該環形蛍光灯とは異なる色の照明光を有する前記平面らせん形蛍光灯を配設するとともに、
前記環形蛍光灯と前記平面らせん形蛍光灯とを個別に点灯可能なスイッチを有することを特徴とする照明器具。
【請求項２】
環形蛍光灯および平面らせん形蛍光灯から得られる光束値を比較し、光束値が大きな蛍光灯の照明光の色を電球色にし、光束値が小さな蛍光灯の照明光の色を昼白色とすることを特徴とする請求項１記載の照明器具。
【発明の詳細な説明】
【技術分野】
【０００１】
本発明は、複数の蛍光灯を用いて照明光の色を変化させることができる照明器具に関するものである。
【背景技術】
【０００２】
従来より、生活シーンや気分に応じて、照明器具の照明の色を選択的に切り替えることが行われている（例えば特許文献１、２参照）。
【０００３】
図２に示すように、特許文献１に記載の照明器具１００は住宅用吊下げ型のペンダントであり、セード１０１と、光源１０２と、器具本体１０３を有している。光源１０２は、昼白色の照明光を発する環形蛍光灯１０２ａと、この環形蛍光灯１０２ａの内側に設けられて電球色の照明光を発する４個の電球型蛍光灯１０２ｂを有しており、相互に切り替え可能となっている。
【０００４】
また、図３に示すように、特許文献２に記載の照明器具１１０は、器具本体１１１と、光源である環形蛍光灯１１２および環形蛍光灯１１２とは照明光の色が異なる複数の発光ダイオード１１３と、光源１１２，１１３を覆うセード（図示省略）を有している。環形蛍光灯１１２は、一定の隙間１１２ｂを介して並列された一対の発光管１１２ａ、１１２ａを有しており、隙間１１２ｂから発光ダイオード１１３の照明光が照射されるようになっている。そして、必要な色の発光ダイオード１１３を選択的に点灯させることにより、照明光の色を調整することができるようになっている。
【特許文献１】特開２００２−１５０８０６号公報（第１図）
【特許文献２】特開２００４−３４９２３４号公報（第２図）
【発明の開示】
【発明が解決しようとする課題】
【０００５】
しかしながら、前述した特許文献１に記載の照明器具においては、用いている白熱ランプあるいは電球型蛍光灯が環形蛍光灯よりも下方へ突出しているので、高さが高くなって照明器具の大型化を招くとともに、異種の光源を用いることにより、透過カバーを透過してくる照明光の明るさ感が異なり、輝度ムラを生じるという問題があった。
また、前述した特許文献２に記載の照明器具においては、異種の光源を用いることにより、透過カバーを透過してくる照明光の明るさ感が異なるとともに、発光ダイオードのみを点灯する場合には、前方に位置している環形蛍光灯の影が透過カバーに映り込むため、輝度ムラを生じるという問題があった。
【０００６】
本発明は、従来の問題を解決するためになされたもので、コンパクトで、輝度ムラの発生を抑制して照明光の色を変化させることができる照明器具を提供することを目的とする。
【課題を解決するための手段】
【０００７】
本発明の照明器具は、環形蛍光灯と、平面らせん形蛍光灯と、前記各蛍光灯を駆動させる点灯装置と、前記各蛍光灯を覆うように装着され照明光を透過させる透過カバーとを備えた照明器具であって、前記環形蛍光灯の内側スペースに、当該環形蛍光灯とは異なる色の照明光を有する前記平面らせん形蛍光灯を配設するとともに、前記環形蛍光灯と前記平面らせん形蛍光灯とを個別に点灯可能なスイッチを有する構成を有している。
【０００８】
この構成により、環形蛍光灯の内側スペースに同様の照明光を発する平面らせん形蛍光灯を配設したので、点灯装置により環形蛍光灯および平面らせん形蛍光灯を点灯させた際に、環形蛍光灯の内側に生じていた暗い部分を平面らせん形蛍光灯によって明るく照らすことができ、透過カバーを透過する照明光の輝度ムラの発生を抑制することができる。また、環形蛍光灯の内側スペースに平面らせん形蛍光灯を配したので、照明器具の大型化を回避することができる。さらに、環形蛍光灯の照明光の色と平面らせん形蛍光灯の照明光の色が異なるので、両蛍光灯を個別に点灯させることにより、照明光の色を変化させることができる。なお、個別に点灯可能とは、環形蛍光灯を単独で点灯する場合、平面らせん形蛍光灯を単独で点灯する場合、および両蛍光灯を同時に点灯する場合が可能であることを意味する。
【０００９】
また、本発明の照明器具は、環形蛍光灯および平面らせん形蛍光灯から得られる光束値を比較し、光束値が大きな蛍光灯の照明光の色を電球色にし、光束値が小さな蛍光灯の照明光の色を昼白色とする構成を有している。
【００１０】
この構成により、光束値が大きな蛍光灯の照明光の色を人が感じる明るさ感が小さな電球色にし、光束値が小さな蛍光灯の照明光の色を人が感じる明るさ感が大きな昼白色としたので、光源を切り替えて照明光の色を変えた際に得られる明るさ感の差を小さくすることができる。
【発明の効果】
【００１１】
本発明は、環形蛍光灯の内側スペースに同様の照明光を発する平面らせん形蛍光灯を配設したので、点灯装置により環形蛍光灯および平面らせん形蛍光灯を点灯させた際に、環形蛍光灯の内側に生じていた暗い部分を平面らせん形蛍光灯によって明るく照らすことができ、透過カバーを透過する照明光の輝度ムラの発生を抑制することができる。また、環形蛍光灯の内側スペースに平面らせん形蛍光灯を配したので、照明器具の大型化を回避することができる。さらに、環形蛍光灯の照明光の色と平面らせん形蛍光灯の照明光の色が異なるので、両蛍光灯を個別に点灯させることにより、照明光の色を変化させることができるという効果を有する照明器具を提供することができるものである。
【発明を実施するための最良の形態】
【００１２】
以下、本発明の第１実施形態の照明器具について、図面を用いて説明する。
図１（Ａ）は本発明の第１実施形態にかかる照明器具を下方から見た平面図、図１（Ｂ）は図１（Ａ）中Ｂ−Ｂ位置の断面図である。
【００１３】
図１に示すように、本発明の第１実施形態にかかる照明器具１０は、例えば壁面としての天井１１に取付けて用いることができるものであり、例えば円形の器具本体４０には、光源として、環形蛍光灯２０と、平面らせん形蛍光灯３０とを有し、環形蛍光灯２０を駆動させる点灯装置４１および平面らせん形蛍光灯３０を駆動させる点灯装置４２が設けられている。両点灯装置４１、４２は、それぞれスイッチ１２に接続されており、各蛍光灯２０、３０が個別に点灯可能となっている。
【００１４】
すなわち、スイッチ１２の切り替えによって、環形蛍光灯２０の単独の点灯、平面らせん形蛍光灯３０の単独の点灯、および両蛍光灯２０、３０の点灯が可能となっている。なお、スイッチ１２は、壁１３に設けることができるが、照明器具１０から垂らした紐によって切り替えるようにしてもよい。
【００１５】
また、器具本体４０の前面（図１（Ｂ）において下面）には、各蛍光灯２０、３０を覆うように装着され、照明光を透過させる透明または半透明の樹脂（例えば、アクリル）からなる円形ドーム状の透過カバー４３を備えている。平面らせん形蛍光灯３０は、環形蛍光灯２０の内側のスペース４４に配設されている。
【００１６】
環形蛍光灯２０は、図１（Ａ）に示すように、例えば、同一平面上に配された同心円の二重の発光管２１、２２が一体的に設けられており、両発光管２１、２２の端部にはソケット２３が取付けられて、全体として無端環状に形成されている。従って、環形蛍光灯２０の内側には、スペース４４が形成されることになる。なお、ソケット２３は、点灯装置４１に接続されて電力を供給される。また、環形蛍光灯２０は、器具本体４０に設けられているランプ支持バネ（図示省略）によって取付けられている。
【００１７】
また、平面らせん形蛍光灯３０は、図１（Ａ）に示すように、管状の放電路が長手方向中央部３１ａを始点として同一平面に沿って渦巻状に旋回された発光管３１を有しており、環形蛍光灯２０内側のスペース４４に収容されるように全体が小径のらせん形に形成されている。この平面らせん形蛍光灯３０は、小径であっても十分な明るさを確保できるものであり、環形蛍光灯２０と同様の明るさを得ることができる。
【００１８】
平面らせん形蛍光灯３０の発光管３１の両端部には、それぞれソケット３２、３２が取付けられており、両ソケット３２、３２は、発光管３１の中央部３１ａに対して、点対称の位置に設けられている。発光管３１の中央部３１ａは、その他の部分に比して太径となっており、最冷点となっている。なお、ソケット３２、３２は、点灯装置４２に接続されて電力を供給される。また、平面らせん形蛍光灯３０は、器具本体４０に設けられているランプ支持バネ（図示省略）によって取付けられている。
【００１９】
環形蛍光灯２０と平面らせん形蛍光灯３０を同一平面上に配設するのが望ましい。すなわち、環形蛍光灯２０の発光管２１の水平方向中心軸と、平面らせん形蛍光灯３０の発光管３１の水平方向中心軸とが一致（図２（Ｂ）中１点鎖線Ｌ）するようにすることにより、照明器具１０の薄型化を図ることができる。
【００２０】
以上、説明した照明器具１０によれば、スイッチ１２により点灯装置４１、４２を操作して環形蛍光灯２０および平面らせん形蛍光灯３０を点灯させた際に、環形蛍光灯２０の内側に生じていた暗い部分を平面らせん形蛍光灯３０によって明るく照らすことができ、透過カバー４３を透過する照明光の輝度ムラの発生を抑制することができる。また、環形蛍光灯２０の照明光の色と平面らせん形蛍光灯３０の照明光の色が異なるので、スイッチ１２を切り替えて両蛍光灯２０、３０を個別に点灯させることにより、照明光の色を変化させることができる。
【００２１】
次に、本発明の第２実施形態の照明器具について、説明する。
なお、前述した第１実施形態と共通する部位には同じ符号を付して、重複する説明を省略することとする。
【００２２】
本発明の第２実施形態にかかる照明器具１０Ｂ（図１参照）では、上述した第１実施形態にかかる照明器具１０において、環形蛍光灯２０および平面らせん形蛍光灯３０から得られる光束値を比較し、光束値が大きな蛍光灯の照明光の色を電球色にし、光束値が小さな蛍光灯の照明光の色を昼白色としている。
【００２３】
一般に、同じ光束値（照度）でも、照明光の色（色温度）によって人間が得られる明るさ感は異なるといわれており、同じ光束値を有する昼白色と電球色とを比較した場合、大半の人は、昼白色の光の方が明るいと感じる。従って、例えば環形蛍光灯２０の光束値の方が、平面らせん形蛍光灯３０の光束値よりも大きい場合には、環形蛍光灯２０を電球色とし、平面らせん形蛍光灯３０を昼白色とする。また、平面らせん形蛍光灯３０の光束値の方が、環形蛍光灯２０の光束値よりも大きい場合には、平面らせん形蛍光灯３０を電球色とし、環形蛍光灯２０を昼白色とする。
【００２４】
以上、説明した照明器具１０Ｂによれば、光束値が大きな蛍光灯の照明光の色を人が感じる明るさ感が小さな電球色にし、光束値が小さな蛍光灯の照明光の色を人が感じる明るさ感が大きな昼白色としたので、光源を切り替えて照明光の色を変えた際に得られる明るさ感の差を小さくすることができる。
【００２５】
なお、本発明の照明器具は、前述した各実施形態に限定されるものでなく、適宜な変形，改良等が可能である。
例えば、前述した各実施形態において、環形蛍光灯２０として同一平面上に配された同心円の二重の発光管２１、２２を有するものを例示したが、本発明の照明器具１０はこれに限るものではない。例えば、１本の発光管からなる環形蛍光灯や、３本以上の発光管を有するものであってもよい。また、上下に同一円の発光管を複数本有するものであってもよい。
【図面の簡単な説明】
【００２６】
【図１】（Ａ）は本発明の第１実施形態にかかる照明器具を下方から見た平面図、（Ｂ）は（Ａ）中Ｂ−Ｂ位置の断面図
【図２】従来の照明器具の一例を示す下方から見た平面図
【図３】従来の照明器具の別の例を示す分解斜視図
【符号の説明】
【００２７】
１０、１０Ｂ  照明器具
１２  スイッチ
２０  環形蛍光灯
３０  平面らせん形蛍光灯
４１、４２  点灯装置
４３  透過カバー
４４  内側スペース
【図１】
2009170256.tif 000003
【図２】
2009170256.tif 000004
【図３】
2009170256.tif 000005